(57)【要約】【目的】  雑音を小さくして高純度の発振出力を供給する低雑音水晶発振器を提供する。【構成】  水晶片の両主面に形成されて発振回路と接続する励振電極と、前記水晶片の少なくとも一方の主面に形成されて前記励振電極と離間して電気的に接続する出力電極から発振出力を得る水晶発振器において、前記出力電極をベース接地とした緩衝増幅器のエミッタ側に接続して、前記発振出力を前記緩衝増幅器のコレクタ側から取り出した構成とする。【選択図】図１
2005341473.tif 000002
【特許請求の範囲】
【請求項１】
水晶片の両主面に形成されて発振回路と接続する励振電極（ａｂ）と、前記水晶片の少なくとも一方の主面に形成されて前記励振電極（ａｂ）と離間して電気的に接続する出力電極から発振出力を得る水晶発振器において、前記出力電極をベース接地とした緩衝増幅器のエミッタ側に接続して、前記発振出力を前記緩衝増幅器のコレクタ側から取り出したことを特徴とする水晶発振器。
【発明の詳細な説明】
【技術分野】
【０００１】
本発明は水晶発振器を技術分野とし、特に雑音の少ない発振出力を得る低雑音水晶発振器に関する。
【背景技術】
【０００２】
（発明の背景）水晶発振器は周波数安定度に優れることから、特に周波数源として通信機器に使用される。近年では、例えば移動体用では通話チャンネルの増大のため高周波化が進行し、これに伴い低雑音の水晶発振器が求められている。このようなものの一つに本出願人による低雑音水晶発振器がある（特許文献１）。
【０００３】
（従来技術の一例）第３図乃至第４図は一従来例を説明する低雑音水晶発振器の図である。
【０００４】
水晶発振器は基本的に共振回路１と発振用増幅器２とからなる。共振回路１はインダクタ成分とした水晶振動子３と分割コンデンサ４（ａｂ）とからなり、各一端をアース接地とする。発振用増幅器２は例えばトランジスタからなり、水晶振動子３と分割コンデンサ４（ａｂ）の接続点にベースを接続する。また、発振用増幅器２のコレクタを電源側として、分割コンデンサ４（ａｂ）の中点とエミッタとを接続し、負荷抵抗５ａを経て接地する。
【０００５】
通常では、発振用増幅器２の例えばエミッタ側から発振出力Ｖoutを得る。図中の符号４ｃは直流素子用の、４ｄは結合用のコンデンサ、５ｂ、５ｃはベースバイアス抵抗、Ｖccは電源である。なお、水晶発振器は所謂コルピッツ型と呼ばれる。
【０００６】
そして、特許文献１では、水晶振動子３を構成する水晶片６に出力電極７を形成する。すなわち、水晶片６の両主面に形成された励振電極８（ａｂ）と電気的に接続した、ここでは励振電極８（ａｂ）とは離間して静電結合した出力電極７を水晶片６の一主面に形成する。そして、水晶片６の出力電極７から直接に発振出力Ｖoutを得る。
【０００７】
このようなものでは、発振閉ループ内の例えばエミッタ側から発振出力Ｖoutを得ることなく（前第３図）、励振電極８（ａｂ）と静電結合した水晶片６の出力電極７から発振出力Ｖoutを得る。したがって、発振閉ループ内の雑音が遮断されて、雑音成分を少なくした高純度の発振出力Ｖoutが得られる。
【特許文献１】特開２０００−２９５０３８号公報
【発明の開示】
【発明が解決しようとする課題】
【０００８】
（従来技術の問題点）しかしながら、上記構成の低雑音水晶発振器では、水晶振動子３（水晶片６）の出力電極７から直接に発振出力を得るので、ユーザの接続する回路側の負荷インピーダンスによって雑音の劣化を招きかねない問題があった。
【０００９】
すなわち、水晶振動子３（発振出力）の出力インピーダンスよりも負荷インピーダンスが小さい場合には、例えば外来雑音は分圧されて回路側に重畳する雑音は少ない。したがって、出力電極７からの発振出力Ｖoutは高純度を維持して供給される。しかし、負荷インピーダンスが大きい場合には、外来雑音が回路側に多く発生して発振出力に重畳する。したがって、雑音成分を大きくして発振出力Ｖoutの純度を悪化させる問題があった。
【００１０】
（発明の目的）本発明は雑音を小さくして高純度の発振出力を供給する低雑音水晶発振器を提供することを目的とする。
【課題を解決するための手段】
【００１１】
本発明は、特許請求の範囲（請求項１）に示したように、水晶片の両主面に形成されて発振回路と接続する励振電極と、前記水晶片の少なくとも一方の主面に形成されて前記励振電極と離間して電気的に接続する出力電極から発振出力を得る水晶発振器において、前記出力電極をベース接地とした緩衝増幅器のエミッタ側に接続して、前記発振出力を前記緩衝増幅器のコレクタ側から取り出した構成とする。
【発明の効果】
【００１２】
このような構成であれば、水晶振動子の出力電極はベース接地のエミッタに接続するので、発振出力のインピーダンスは強制的に小さくなる。したがって、エミッタまでの間の発振出力には外来雑音等は重畳しにくく、その純度を維持できる。
【００１３】
そして、ベース接地のコレクタから発振出力を得るので、ここでのインピーダンスはコレクタ抵抗（負荷抵抗）の値まで大きくすることができる。したがって、ユーザ回路の負荷インピーダンスが小さいときは勿論として、適度のインピーダンスの場合でも対応できる。
【実施例】
【００１４】
第１図は本発明の一実施例を説明する低雑音水晶発振器の図である。なお、前従来例と同一部分には同番号を付与してその説明は簡略又は省略する。
【００１５】
低雑音水晶発振器は前述したように発振回路をコルピッツ型とし、水晶振動子３の励振電極８と電気的に結合した出力電極７から発振出力Ｖout1を得る。そして、ここでは、ベース接地とした緩衝増幅器９のエミッタに出力電極７を接続し、コレクタから結合コンデンサ４ｄを得て発振出力Ｖout2を得る。図中の符号４ｅは直流阻止のコンデンサ、５ｄ、５ｅ、５ｆはバイアス抵抗、５ｇは負荷抵抗である。
【００１６】
このような構成であれば、水晶振動子３の出力電極７は、緩衝増幅器９のエミッタに接続するので、発振出力Ｖout１のインピーダンスを小さくする。したがって、例えば外来雑音が重畳しにくく、低雑音を維持した発振出力Ｖout1になる。
【００１７】
また、発振出力Ｖout1はベース接地として増幅されるで、波形に歪みを生ずることなく、インピーダンスの高い発振出力Ｖout２としてコレクタに得る。そして、例えば結合コンデンサ４ｄを経て、高インピーダンスとした発振出力Ｖout２をユーザの回路側に供給する。
【００１８】
したがって、ユーザの回路側が低インピーダンスの場合には、緩衝増幅器９から回路側までの間の外来雑音は回路側に重畳しにくい。また、回路側が高インピーダンスの場合であっても、発振出力Ｖout2のインピーダンスよりも小さい場合には雑音の影響を受けにくい。これらのことから、雑音の少ない高純度の発振出力Ｖout１を維持して回路側に供給できる。
【００１９】
（他の事項）上記実施例では単に低雑音水晶発振器として説明したが、例えば第２図に示したようにしてもよい。すなわち、水晶振動子３に電圧可変容量素子１０を接続し、高周波阻止抵抗５ｈを経て制御電圧Ｖcを印加する電圧制御型としてもよい。
【００２０】
この場合、高い周波数安定性と相反する。可変するという機能によって発振回路の損失を招く。すなわち位相雑音を劣化することになるが、前述の静電結合電極を有する水晶振動子及びベ−ス接地緩衝増幅器により、その劣化を極小におさえ、広い可変範囲と、低位相雑音を同時に実現しうる点で有利となる。
【図面の簡単な説明】
【００２１】
【図１】本発明の一実施例を説明する低雑音水晶発振器の回路図である。
【図２】本発明の他の実施例を説明する電圧制御とした低雑音水晶発振器の回路図である。
【図３】従来例を説明する水晶発振器の回路図である。
【図４】従来例を説明する水晶発振器の回路図である。
【符号の説明】
【００２２】
１  共振回路、２  発振用増幅器、３  水晶振動子、４  コンデンサ、５  抵抗、６  水晶片、７  出力電極、８  励振電極、９  緩衝増幅器、１０  電圧可変容量素子。
【図１】
2005341473.tif 000003
【図２】
2005341473.tif 000004
【図３】
2005341473.tif 000005
【図４】
2005341473.tif 000006